(57)【要約】【課題】錠機構を配設した引戸装置において、戸車を引戸の端部位置に近接して配設し、２つの戸車間の間隔を大きくすることによって、引戸の走行安定性を良好にすることができる引戸装置を提供すること。【解決手段】錠前ロッド棒５１を戸車ブラケット２の固定位置に突出させるとともに、引戸１の閉鎖位置における引戸１の上面と戸車３が載置されているレール４との間に位置するように錠前受け５２を取り付ける。【選択図】図２
2007107295.tif 000002
【特許請求の範囲】
【請求項１】
引戸の上部に固定した戸車ブラケットに戸車を配設し、該戸車を介して、引戸をレールに移動可能に懸架するとともに、引戸を閉鎖位置にて固定するための錠前ロッド棒と錠前受けとからなる錠機構を配設した引戸装置において、前記錠前ロッド棒を戸車ブラケットの固定位置に突出させるとともに、引戸の閉鎖位置における引戸の上面と戸車が載置されているレールとの間に位置するように錠前受けを取り付けたことを特徴とする引戸装置。
【発明の詳細な説明】
【技術分野】
【０００１】
本発明は、引戸装置に関し、特に、引戸の上部に固定した戸車ブラケットに戸車を配設し、該戸車を介して、引戸をレールに移動可能に懸架するとともに、引戸を閉鎖位置にて固定するための錠前ロッド棒と錠前受けとからなる錠機構を配設した引戸装置に関するものである。
【背景技術】
【０００２】
従来、図３に示すように、引戸１の上部に固定した戸車ブラケット２に戸車３を配設し、この戸車３を介して、引戸１をレール４に移動可能に懸架するとともに、引戸１を閉鎖位置にて固定するための錠前ロッド棒５１と錠前受け５２とからなる錠機構５を配設した引戸装置が提案されている。
【０００３】
この引戸装置は、引戸１をレール４に移動可能に懸架するとともに、引戸１の閉鎖位置で引戸１の上面から補強板７に形成した透孔７１を介して突出した錠前ロッド棒５１が錠前受け５２に当接するようにして、当該位置で引戸１が固定されるようにし、さらに、引戸１の引き手部あるいは引戸１の戸先側上方部に配設した操作部（図示省略）を操作することによって錠前ロッド棒５１を引き下げ、錠前ロッド棒５１と錠前受け５２との当接状態を解除して、引戸１を開くことができるようにしている。
【０００４】
そして、この引戸装置は、錠機構５を構成する錠前ロッド棒５１と錠前受け５２を、戸車３の前方側（引戸１の戸先側）に位置するように配設するようにしていた。
【０００５】
ところで、引戸１をレール４に移動可能に懸架する戸車３は、引戸１の重量バランスを考慮して引戸１の上部の引戸１の移動方向（引戸１の幅方向）の対称位置に固定した戸車ブラケット２に配設されるが、この戸車３の配設位置は、引戸１の走行安定性に影響を与え、引戸１の走行安定性を良好にするためには、戸車３を引戸１の端部位置に近接して配設し、２つの戸車３間の間隔を大きくする必要がある。
しかしながら、上記従来の引戸装置のように錠機構５を構成する錠前ロッド棒５１と錠前受け５２を、戸車３の前方側（引戸１の戸先側）に位置するように配設するようにすると、この錠機構５が戸車３を引戸１の端部位置に近接して配設しようとする場合の障害になるため、必然的に戸車ブラケット２を反戸先側に後退させて配設することとなり、引戸１の幅寸法に対し２つの戸車３間の間隔を小さくして引戸１の走行安定性を犠牲にせざるを得ないという問題があった。
【発明の開示】
【発明が解決しようとする課題】
【０００６】
本発明は、上記従来の引戸装置の有する問題点に鑑み、錠機構を配設した引戸装置において、戸車を引戸の端部位置に近接して配設し、２つの戸車間の間隔を大きくすることによって、引戸の走行安定性を良好にすることができる引戸装置を提供することを目的とする。
【課題を解決するための手段】
【０００７】
上記目的を達成するため、本発明の引戸装置は、引戸の上部に固定した戸車ブラケットに戸車を配設し、該戸車を介して、引戸をレールに移動可能に懸架するとともに、引戸を閉鎖位置にて固定するための錠前ロッド棒と錠前受けとからなる錠機構を配設した引戸装置において、前記錠前ロッド棒を戸車ブラケットの固定位置に突出させるとともに、引戸の閉鎖位置における引戸の上面と戸車が載置されているレールとの間に位置するように錠前受けを取り付けたことを特徴とする。
【発明の効果】
【０００８】
本発明の引戸装置によれば、引戸の上部に固定した戸車ブラケットに戸車を配設し、該戸車を介して、引戸をレールに移動可能に懸架するとともに、引戸を閉鎖位置にて固定するための錠前ロッド棒と錠前受けとからなる錠機構を配設した引戸装置において、前記錠前ロッド棒を戸車ブラケットの固定位置に突出させるとともに、引戸の閉鎖位置における引戸の上面と戸車が載置されているレールとの間に位置するように錠前受けを取り付けるようにしているので、錠機構が戸車を引戸の端部位置に近接して配設しようとする場合の障害にならず、戸車を引戸の端部位置に近接して配設し、２つの戸車間の間隔を大きくすることによって、引戸の走行安定性を良好にすることができる。
【発明を実施するための最良の形態】
【０００９】
以下、本発明の引戸装置の実施の形態を図面に基づいて説明する。
図１〜図２に、本発明の引戸装置を２連式の壁収納型の引戸装置に適用した一実施例を示す。
【００１０】
この２連式の壁収納型の引戸装置は、図１に示すように、２枚の引戸１、１Ａ（ここで、先行側の引戸１を「前引戸」、後行側の引戸１Ａを「後引戸」という。）を、従来公知の任意の連動機構（図示省略）によって連動して開閉されるようにしたもので、引戸１、１Ａの上部の各々２箇所に固定した戸車ブラケット２に戸車３を配設し、この戸車３を介して、引戸１、１Ａをレール４に移動可能に懸架するとともに、レール４を戸先側が下向きになるように上枠６等に傾斜して取り付けることによって、引戸１、１Ａが自動的に閉鎖する方向に付勢されるようにしている。
【００１１】
そして、前引戸１には、引戸１、１Ａを閉鎖位置にて固定するための錠前ロッド棒５１と錠前受け５２とからなる錠機構５を配設を配設するようにしている。
この錠機構５は、図２に示すように、錠機構５を構成する錠前ロッド棒５１を前引戸１の戸先側の戸車ブラケット２の固定位置に戸車ブラケット２に形成した透孔２１を介して突出させるとともに、引戸１、１Ａを懸架する戸車ブラケット２を延設して前引戸１の閉鎖位置における前引戸１の上面と戸車３が載置されているレール４との間に位置するように錠前受け５２を上枠６等へ取り付け、引戸１、１Ａの閉鎖位置で前引戸１の上面から突出した錠前ロッド棒５１が錠前受け５２に当接するようにして、当該位置で引戸１、１Ａが固定されるようにし、さらに、前引戸１の引き手部あるいは引戸１の戸先側上方部に配設した操作部（図示省略）を操作することによって錠前ロッド棒５１を引き下げ、錠前ロッド棒５１と錠前受け５２との当接状態を解除して、引戸１、１Ａを開くことができるようにしている。
ここで、錠機構５を構成する錠前ロッド棒５１の上下動のストロークＳは、錠前ロッド棒５１と錠前受け５２とが当接している状態から、当該当接状態を解除できる寸法に設定するようにする。
【００１２】
そして、上記のように錠機構５を構成する錠前ロッド棒５１及び錠前受け５２を配設することにより、錠機構５が戸車３を前引戸１の端部位置に近接して配設しようとする場合の障害にならず、戸車３を戸車ブラケット２を介して前引戸１の端部位置に近接して配設することができ、前引戸１の２つの戸車３、３間の間隔を大きくすることによって、引戸１（１Ａ）の走行安定性を良好にすることができる。
【００１３】
以上、本発明の引戸装置について、２連式の壁収納型の引戸装置の実施例に基づいて説明したが、本発明は上記実施例に記載した構成に限定されるものではなく、例えば、１枚の引戸からなる引戸装置等にも適用できる等、その趣旨を逸脱しない範囲において適宜その構成を変更することができるものである。
【産業上の利用可能性】
【００１４】
本発明の引戸装置は、錠機構を配設した引戸装置において、戸車を引戸の端部位置に近接して配設し、２つの戸車間の間隔を大きくすることによって、引戸の走行安定性を良好にすることができることから、病院等で用いられる錠機構を配設した引戸装置に好適に用いることができる。
【図面の簡単な説明】
【００１５】
【図１】本発明の引戸装置の一実施例を示す全体正面図である。
【図２】同要部を示し、（ａ）は平面図、（ｂ）正面図、（ｃ）は側面図である。
【図３】従来の引戸装置の要部を示し、（ａ）は平面図、（ｂ）正面図、（ｃ）は側面図である。
【符号の説明】
【００１６】
１    引戸（前引戸）
１Ａ  引戸（後引戸）
２    戸車ブラケット
２１  透孔
３    戸車
４    レール
５    錠機構
５１  錠前ロッド棒
５２  錠前受け
６    上枠
【図１】
2007107295.tif 000003
【図２】
2007107295.tif 000004
【図３】
2007107295.tif 000005